(57)【要約】　　　（修正有）【課題】光子は１回転でどれ位のエネルギーと引力を作るか。陽子、中間子、中性子、電子の中の光速はいくらか。陽子、中間子、中性子、電子の本質は何か。中性子、中間子が単独で存在できない理由。陽子、中間子、中性子、電子の大きさとはどんなものか。ラブはどの軌道を自転し公転するか。陽子、電子のメカニズムは何か。電子の大きさはどれ位か。【解決手段】光子は１回転して１．１５×１０−４９Ｊのエネルギーを作り、４．２６×１０−７７Ｎの引力を作る。陽子、中間子、中性子、電子の中の光速は３×１０７ｍである。陽子、中間子、中性子、電子の本質はラブである。中性子、中間子にはラブがないので、単独では存在できない。陽子、中間子、中性子、電子の大きさは、ラブが公転する軌道によって決定する。ラブはラブのエネルギーから算出される軌道を自転し、自分の大きさを公転の軌道とする。陽子、電子のメカニズムは自転と公転である。電子の大きさは陽子の大きさを１０−１５ｍとしたら、５．４×１０−１９ｍで、１．０８×１０−１８ｍとして観察される。【選択図】図３
2004032978.tif 000002
【特許請求の範囲】
【請求項１】
エネルギーと引力は光子の回転によってできる。エネルギーと引力は光子の回転数に比例する。エネルギーをＦとすると、Ｆ＝Ｋ×１秒間の回転数＝Ｋ×光速÷（π×軌道の長さ）です。引力をＦ′とすると、Ｆ′＝Ｋ′×１秒間の回転数＝Ｋ′×光速÷（π×軌道の長さ）です。
Ａ、光速を３×１０８ｍとして計算すると、
Ｋ＝１．１５×１０−４９Ｊです。Ｋ′＝４．２６×１０−７７Ｎです。
Ｋは光子が軌道を１回転して作るエネルギーです。Ｋ′は光子が軌道を１回転して作る引力です。
即ち、光子は軌道を１回転して１．１５×１０−４９Ｊのエネルギーを作る。
光子は軌道を１回転して４．２６×１０−７７Ｎの引力を作る。
Ｂ、光速を３×１０７ｍとして計算すると、（軌道のエネルギーと引力を算出したとき光速を３×１０７ｍとして計算したら正確なデーターがでてきたので、陽子、中間子、中性子、電子の中の光速は３×１０７ｍであると考えます。）
Ｋ＝１．１５×１０−４８Ｊです。Ｋ′＝４．２６×１０−７６Ｎです。
即ち、光速が遅くなるほど高エネルギー、高引力ができる。
しかし、回転数が少なくなるので、結果としては同じエネルギーと引力ができる。光速が３×１０７ｍの場合、回転数は１０分の１である。
【請求項２】
光子が１秒間に作るエネルギーは、　　１秒間の回転数×Ｋである。
光子が１秒間に作る引力は、　　１秒間の回転数×Ｋ′である。
Ａ光速が３×１０８ｍの場合、
１秒間の回転数×１．１５×１０−４９Ｊ＝光速÷（π×軌道の長さ）×１．１５×１０−４９Ｊ＝３×１０８÷３．１４÷軌道の長さ×１．１５×１０−４９Ｊ≒１．１×１０−４１Ｊ÷軌道の長さ　です。
１秒間の回転数×４．２６×１０−７７Ｎ＝光速÷（π×軌道の長さ）×４．２６×１０−７７Ｎ＝３×１０８÷３．１４÷軌道の長さ×４．２６×１０−７７Ｎ≒４．０７×１０−６９Ｎ÷軌道の長さ　です。
即ち、軌道のエネルギーと引力のマップは、光子がその軌道を１秒間回転することによって作るエネルギーと引力です。
Ｂ、光速が３×１０７ｍの場合、
３×１０７ｍ÷３．１４÷軌道の長さ×１．１５×１０−４８Ｊ≒１．１×１０−４１Ｊ÷軌道の長さ　です。
３×１０７ｍ÷３．１４÷軌道の長さ×４．２６×１０−７６Ｎ＝４．０７×１０−６９Ｎ÷軌道の長さ　です。
即ち、ＡとＢは同じエネルギーと引力ができます。
【請求項３】
軌道のエネルギーと引力のマップを作ったとき光速を３×１０７ｍとして計算したら、正確なマップができたそれで、陽子、中間子、中性子、電子の中の光速は３×１０７ｍである。
【請求項４】
上記の式より、エネルギーと引力より軌道の長さを算出する式は、
軌道の長さ＝１．１×１０−４１Ｊ÷エネルギー。　軌道の長さ＝４．０７×１０−６９÷引力です。
【請求項５】
電子のラブの軌道の長さは１．３７５×１０−２８ｍである。陽子のラブの軌道の長さは０．７３３×１０−３１ｍである。
【請求項６】
電子、陽子、中間子、中性子の本質は各々のラブである。ラブが回転しエネルギーを作っている。ラブが作るエネルギーは光子である。その光子がラブの引力に引き止められて、軌道を回転する。
【請求項７】
中性子はどうして原子核の中以外では存在できないか。
中性子には中性子のラブがない。それで中性子は単独では存在しない。中性子のラブは陽子のラブである。それで、中性子はすぐ陽子になる。
【請求項８】
中間子はどうして原子核の中以外では存在できないか。
中間子には中間子のラブがない。それで中間子は単独では存在できない。中間子のラブは電子のラブである。それで、中間子は電子になる。
【請求項９】
電子、陽子、中間子、中性子の大きさはどのようなものであるか。
２つ考えられる。
１つは、ラブは一定の軌道を回転し、一定のエネルギー（光子）を作る。光子は放出され、軌道を回転する。ラブは回転し、引力も作っている。その引力で光子を引き留めている。引き留められている一番外側の軌道の長さが各々、電子の大きさ、陽子の大きさ、中間子の大きさ、中性子の大きさである。
１つは、ラブの公転が各々電子の大きさ、陽子の大きさ、中間子の大きさ、中性子の大きさである。大きさはこの２倍の大きさとして観察される。
【請求項１０】
ラブはどの軌道を公転するか。
陽子を例として考える。
陽子の大きさが１０Ｘｍである場合、陽子のラブのエネルギーは全体として０．７３３×１０−３１ｍから１０Ｘｍに希釈される。エネルギー濃度は０．７３３×１０−３１÷１０Ｘ倍になる。それで、陽子のエネルギー濃度は１．５×１０−１０Ｊ×（０．７３３×１０−３１÷１０Ｘ）≒１．１×１０−４１−ＸＪ　です。このエネルギー密度の軌道は１．１×１０−４１Ｊ÷（１．１×１０−４１−ＸＪ）＝１０Ｘ　です。
即ち、陽子のラブは陽子の大きさと同じ軌道を公転している。
電子の場合。
電子の大きさが１０Ｚｍである場合、電子のラブのエネルギーは全体として、１．３７５×１０−２８ｍから１０Ｚｍに希釈される。エネルギー濃度は１．３７５×１０−２８÷１０Ｚ　倍になる。それで電子のエネルギー濃度は８×１０−１４×１．３７５×１０−２８÷１０Ｚ＝１．１×１０−４１−ＺＪです。このエネルギー密度の軌道は１．１×１０−４１Ｊ÷（１．１×１０−４１−ＺＪ）＝１０Ｚです。
即ち、電子の大きさが１０−１８ｍであるならば、電子のラブの軌道は１０−１８ｍです。但し電子の軌道は１０−１０ｍです。
【請求項１１】
陽子のメカニズムと大きさ。
陽子のラブの軌道の長さは０．７３３×１０−３１ｍである。陽子のラブの自転の軌道は０．７３３×１０−３１ｍであると考える。
この自転によって１．５×１０−１０Ｊのエネルギーと５．５５×１０−３８Ｎの引力が作られる。陽子のラブは更に公転する。この公転の軌道の長さは環境のエネルギーによって異なる。高エネルギーの環境では公転の軌道は小さい。低エネルギーの環境では公転の軌道は大きい。
地球の環境では、陽子のラブの公転は１０−１５ｍである。しかし、地球よりもっと高エネルギーの環境では、陽子のラブの公転はもっと小さくなる。
即ち、陽子の大きさは一定ではない。
地球において、陽子のラブは１０−１５ｍの軌道を公転している。ラブの自転によってできた光子はラブの周囲を回転している。そして、ラブの作っている引力は１０−１５ｍの軌道までの光子を引き留めている。
それで、陽子の大きさは１０−１５ｍである。
しかし、陽子のラブは１０−１５ｍの軌道を公転しているので、見かけ上は、２×１０−１５ｍとして観察される。
地球よりもっと高エネルギーの環境では、陽子のラブの公転はもっと小さくなる。例えば、ラブの公転が１０−１８ｍである場合、ラブが作った光子はラブの周囲の軌道を回転している。そして、ラブの作っている引力は１０−１８ｍまでの光子を引き留めている。
そこの環境の陽子の大きさは１０−１８ｍである。２×１０−１８ｍとして観察される。
更に、ラブの自転と公転によって、電磁波（電磁力）はできる。
光子は電磁波であるのはラブが存在し、自転し、公転しているからです。
【請求項１２】
電子のメカニズムと大きさ。
電子のラブは１．３７５×１０−２８ｍの軌道を回転し、８×１０−１４Ｊのエネルギーと、３×１０−４１Ｎの引力を作っている。これを光子のラブの自転と考える。電子のラブの公転は、環境によって異なる。高エネルギーの環境では電子のラブの公転は小さくなる。地球では、陽子のラブは５．５５×１０−３８Ｎの引力で１０−１５ｍの軌道の光子を引き付けている。それで電子のラブは３×１０−４１Ｎの引力でどこまでの軌道の光子を引き付ける事ができるか。
５．５５×１０−３８Ｎ：１０−１５ｍ＝３×１０−４１Ｎ：ｘｍ　　ｘ＝５．４×１０−１９ｍ
陽子が１０−１５ｍであるとすると、電子は５．４×１０−１９ｍです。しかし、見かけ上はこの２倍で１．０８×１０−１８ｍです。
但し、これは電子に光子が付加していない場合である。自由電子の場合は光子が付加しているのでもっと大きくなる。
電子のラブの自転は１．３７５×１０−２８ｍです。電子のラブの公転は２．７×１０−１９ｍです。電子の公転は１０−１０ｍです。
電磁波は電子のラブの自転と公転によってできる。
【請求項１３】
電子の大きさは５．４×１０−１９ｍであり、１．０８×１０−１８ｍとして観察される。
【請求項１４】
電磁力はラブと周囲の光子の自転と公転によってできる。
【発明の詳細な説明】
【０００１】
【発明の属する技術分野】
本発明は素粒子に関する。
【０００３】
【発明が解決しようとする課題】
本発明は次の課題を解決するものである。
１、　電子、陽子、中間子、中性子のエネルギーと引力は光子の回転によってできる。それでは、光子は１回転することによって、どれだけのエネルギーと引力を作っているか。
２、　光子は１秒間にどれだけのエネルギーと引力を作っているか。
３、　陽子、中間子、中性子、電子の中の光速はどれぐらいか。
４、　エネルギーから軌道の長さを算出する式はどのようになるか。
５、　電子のラブ、陽子のラブの正確な軌道の長さはどれだけか。
６、　電子、陽子、中間子、中性子の本質は何か。
７、　中性子はどうして原子核の中以外では存在できないか。
８、　中間子はどうして原子核の中以外では存在できないか。
９、　電子、陽子、中間子、中性子の大きさはどのようなものであるか。
１０、ラブはどの軌道を公転するか。
１１、陽子のメカニズムと大きさはどのようになっているか。
１２、電子のメカニズムと大きさはどのようになっているか。
１３、電子の大きさはどれくらいか。
１４、電磁波（電磁力）はどうしてできるか。
【０００４】
【課題を解決するための手段】
上記課題を解決するために、本発明者は次のように考えた。
エネルギーと引力ができる式から、光子が作るエネルギーと引力を算出し、更に、軌道を求める式を作る。その式を使ってラブの軌道の大きさを知る。エネルギーと引力はこのラブの回転（＝自転）でできる。ラブは更に公転する。この公転によって大きさができる。更に、ラブはエネルギーとして光子を放出し、引力で光子を引き留めている。この一番外側の光子の軌道が大きさである。ラブは自転し、公転する。電磁波（電磁力）はラブの自転と公転によってできる。
【０００５】
【発明の形態】
１、　光子は１回転することによってどれだけのエネルギーと引力を作っているか。
光子が１回転することによって作るエネルギーをＦとし、引力をＦ′とする。
Ｆ＝Ｋ×光子の１秒間の回転数＝Ｋ×１秒間の光速÷（π×軌道の長さ）
Ｆ′＝Ｋ′×光子の１秒間の回転数＝Ｋ′×１秒間の光速÷（π×軌道の長さ）１秒間の光速は３×１０８ｍです。
しかし、本発明者は軌道のエネルギーと引力を算出した時、光速を３×１０７ｍとして計算したら、正確な軌道のエネルギーと引力が算出できた。それで、陽子や電子の中の光子の速度は３×１０７ｍであると考えます。
Ａ、光速を３×１０８ｍとして計算します。
１０−３０ｍの軌道の場合。
１０−３０ｍの軌道のエネルギーは１．１×１０−１１Ｊで、引力は４．０７×１０−３９Ｎです。
そうしますと、
Ｆ＝１．１×１０−１１Ｊ＝Ｋ×３×１０８ｍ÷（π×１０−３０ｍ）
Ｋ＝１．１５×１０−４９Ｊ
Ｆ′＝４．０７×１０−３９Ｎ＝Ｋ′×３×１０８ｍ÷（π×１０−３０ｍ）
Ｋ′＝４．２６×１０−７７Ｎ
Ｂ、光速を３×１０７ｍとして計算すると、Ｋ＝１．１５×１０−４８Ｊ、Ｋ′＝４．２６×１０−７６Ｎです。
即ち、
Ａ、光速を３×１０８ｍとした場合、
光子は１回転して、１．１５×１０−４９Ｊのエネルギーを作る。
光子は１回転して、４．２６×１０−７７Ｎの引力を作る。
Ｂ、光速を３×１０７ｍとした場合、
光子は１回転して、１．１５×１０−４８Ｊのエネルギーを作る。
光子は１回転して、４．２６×１０−７６Ｎのエネルギーを作る。
即ち、光速が遅いほど高エネルギー高引力ができる。
しかし、回転数が少ないので、結果としては同じエネルギーと引力ができる。
光速が３×１０７ｍの場合、回転数は１０分の１である。
２、　光子は１秒間にどれだけのエネルギーと引力を作っているか。
１秒間に作るエネルギーは、光子の１秒間の回転数×Ｋ　です。
１秒間に作る引力は、光子の１秒間の回転数×Ｋ′　です。
Ａ、光速を３×１０８ｍとした場合、
１秒間に作るエネルギーは、
光子の１秒間の回転数×１．１５×１０−４９Ｊ
＝３×１０８ｍ÷（π×軌道の長さ）×１．１５×１０−４９Ｊ≒１．１×１０−１１Ｊ÷軌道の長さ　です。
１秒間に作る引力は、
光子の１秒間の回転数×４．２６×１０−７７Ｎ
＝３×１０８ｍ÷（π×軌道の長さ）×４．２６×１０−７７Ｎ＝４．０７×１０−６９Ｎ÷軌道の長さ　です。
Ｂ、光速を３×１０７ｍとした場合、
３×１０７ｍ÷（π×軌道の長さ）×１．１５×１０−４８Ｊ≒１．１×１０−４１Ｊ÷軌道の長さ　です。
３×１０７ｍ÷（π×軌道の長さ）×４．０２×１０−７６Ｎ＝４．０７×１０−６９Ｎ÷軌道の長さ　です。
即ち、軌道のエネルギーと引力のマップは光子がその軌道を１秒間回転するとできるエネルギーと引力です。
３、　陽子、中間子、中性子、電子の中の光子の速度はどれくらいか。
上記のことによって陽子、中間子、中性子、電子の中の光子の速度は３×１０７ｍであることが理解できる。又、軌道のエネルギーと引力のマップを作ったとき光速を３×１０７ｍとして算出したら正確なデーターがでた事から３×１０７ｍであると理解できる。
４、　エネルギーから軌道の長さを算出する式はどのようになるか。
上記の式から、軌道の長さ＝１．１×１０−４１Ｊ÷１秒間に作るエネルギー
軌道の長さ＝４．０７×１０−６９Ｎ÷１秒間に作る引力　であ
る。
５、　電子のラブ、陽子のラブの正確な軌道の長さはどれだけか。
上記の式から、電子のラブの軌道の長さと陽子のラブの軌道の長さを求める。
電子のラブの軌道の長さを求める。
電子のラブのエネルギーは８×１０−１４Ｊである。
電子のラブの軌道の長さ＝１．１×１０−４１Ｊ÷（８×１０−１４Ｊ）＝１．３７５×１０−２８（ｍ）
電子のラブの軌道は１．３７５×１０−２８ｍである。それで、電子の軌道マップを図のように訂正する。
陽子のラブの軌道の長さを求める。
陽子のラブのエネルギーは１．５×１０−１０Ｊである。
陽子のラブの軌道の長さ＝１．１×１０−４１Ｊ÷（１．５×１０−１０Ｊ）＝０．７３３×１０−３１（ｍ）
陽子のラブの軌道の長さは０．７３３×１０−３１ｍである。
６、　電子、陽子、中間子、中性子の本質は何か。
電子、陽子、中間子、中性子の本質は各々のラブです。ラブが回転（自転）しエネルギーを作っている。
更に、ラブは公転しエネルギーを電磁波（光子）として作っている。
７、　中性子はどうして原子核の中以外では存在できないか。
中性子にはラブがない。中性子のラブは陽子のラブである。それで、中性子は陽子と成り、自然界に単独で存在しない。
８、　中間子はどうして原子核の中以外では存在できないか。
中間子にはラブはない。中間子のラブは電子のラブである。それで、中間子は電子となり、自然界に単独で存在しない。（本発明者は中間子の質量エネルギーから中間子のラブの大きさ、エネルギー、引力を算出し、２００２年８月２８日提出の特許に書きました。）
９、　電子、陽子、中間子、中性子の大きさはどのようなものであるか。
２つの作用によるものであると考えられる。
１つは、ラブは一定の引力があり、一定のエネルギー（光子）を留めておく。どれ位のエネルギー（光子）を留めておけるか。それが大きさです。即ち、ラブから光子が放出し、光子は自分のエネルギーに応じて、一定の軌道を回転する。ラブは引力で一定の軌道までの光子を引き留める。一番外側の軌道の大きさが、各々電子の大きさ、陽子の大きさ、中間子の大きさ、中性子の大きさです。
１つは、ラブは自転し、公転している。この公転の大きさが、各々電子の大きさ、陽子の大きさ、中間子の大きさ、中性子の大きさである。電子、陽子、中間子、中性子の大きさ＝ラブの公転の大きさ　です。
見かけ上の大きさはこの２倍であり、２倍の大きさとして観測される。
１０、ラブが公転する軌道はどこか。
Ａ、陽子を例とする。
陽子の大きさが１０Ｘｍである場合、陽子のラブのエネルギーは全体として０．７３３×１０−３１ｍから１０Ｘｍに希釈される。エネルギー濃度は０．７３３×１０−３１÷１０Ｘ倍に成る。それで、陽子のエネルギー密度は１．５×１０−１０Ｊ×（０．７３３×１０−３１÷１０Ｘ）≒１．１×１０−４１−ＸＪです。この軌道は１．１×１０−４１Ｊ÷（１．１×１０−４１−ＸＪ）　＝１０Ｘです。即ち、陽子は陽子の大きさの軌道を回転している。陽子のラブは陽子の大きさと同じ軌道を公転している。
具体的には、陽子の大きさが１０−１５ｍである場合、陽子のラブのエネルギーは全体として０．７３３×１０−３１ｍから１０−１５ｍに希釈される。エネルギー濃度は０．７３３×１０−３１÷１０−１５＝０．７３３×１０−１６倍になる。それで、陽子のエネルギー密度は１．５×１０−１０Ｊ×０．７３３×１０−１６≒１．１×１０−２６Ｊです。この軌道は１．１×１０−４１Ｊ÷（１．１×１０−２６Ｊ）＝１０−１５（ｍ）です。即ち、陽子は陽子の大きさの軌道を回転している。陽子のラブは陽子と同じ軌道を公転している。
Ｂ、電子の場合。
電子の大きさが１０Ｚｍである場合、電子のラブのエネルギーは全体として１．３７５×１０−２８ｍから１０Ｚｍに希釈される。エネルギー濃度は１．３７５×１０−２８÷１０Ｚ倍に成る。それで、電子のエネルギー濃度は８×１０−１４×１．３７５×１０−２８÷１０Ｚ＝１．１×１０−４１−ＺＪです。このエネルギー密度の軌道は１．１×１０−４１Ｊ÷（１．１×１０−４１−ＺＪ）＝１０Ｚ（ｍ）です。
即ち、もし電子の大きさが１０−１８ｍであるならば電子のラブの軌道も１０−１８ｍです。電子のラブの公転は１０−１８ｍということになります。
そして、電子は１０−１０ｍの軌道を回転しています。
１１、陽子のメカニズムと大きさはどのようになっているか。
陽子のラブは０．７３３×１０−３１ｍの軌道を回転している。これを陽子のラブの自転と考える。このラブの自転によって１．５×１０−１０Ｊのエネルギーと５．５５×１０−３８Ｎの引力を作っている。更に、ラブは公転する。この公転によって陽子の電磁力はできる。陽子の大きさはラブの公転の大きさである。ラブは公転します。環境に応じて公転の大きさは変わります。高エネルギーの所ではラブの公転は小さくなります。ラブの公転でもエネルギーと引力ができます。この地球では、ラブの公転は１０１５ｍです。これが陽子の大きさです。
１２、電子のメカニズムと大きさはどのようになっているか。
電子のラブは１．３７５×１０−２８ｍの軌道を回転している。これを電子のラブの自転と考える。このラブの自転により８×１０−１４Ｊのエネルギーと３×１０−４１Ｎの引力を作っている。更にラブは公転する。この公転によって電子の電磁力はできる。電子の大きさはラブの公転の大きさである。
ラブの公転の大きさは環境により異なります。高エネルギーの所ではラブの公転の大きさは小さい。低エネルギーのところではラブの公転の大きさは大きい。ラブの公転でもエネルギーと引力はできます。
電子の大きさは引力によって計算できます。陽子のラブの引力は５．５５×１０−３８Ｎで１０−１５ｍまで引き留める事ができるのであるから、電子のラブの引力３×１０−４１Ｎではどれだけ引き留めることができるか。
５．５５×１０−３８Ｎ：１０−１５ｍ＝３×１０−４１Ｎ：Ｘｍ　Ｘ＝５．４×１０−１９ｍ
陽子の大きさが１０−１５ｍであるとすると、電子の大きさは５．４×１０−１９ｍである。但し、これは電子に光子が付加していない場合である。自由電子の場合は光子が付加しているので、もっと大きくなっている。
１３、電子の大きさはどれくらいか。
上記から電子の大きさは５．４×１０−１９ｍであり、１．０８×１０−１８ｍとして観察される。
１４、電磁力はどうしてできるか。
ラブの自転と公転によってできる。
【０００６】
【発明の効果】
本発明によって次の事柄が理解できた。それが効果である。
光子が１回転することにより作るエネルギーと引力を算出できたことにより、光子が１秒間に作るエネルギーと引力は軌道のエネルギーと引力のマップであると正しく理解できた。エネルギーから軌道を算出する式により、電子、陽子のラブの軌道の大きさを正確に理解できた。電子、陽子、中間子、中性子の本質はラブであると理解する事により、中性子にはラブがないので単独では存在できない事が理解できた。中間子も同じ理由で存在できないのであると理解した。中間子は電子によってできていると理解できた。陽子の本質は陽子のラブであるので、その大きさは陽子のラブの引力によってできる。陽子のラブの軌道の大きさは０．７３３×１０−３１ｍであり、これを陽子のラブの自転と考えると、陽子のラブは公転する。例えば陽子のラブが１０ａｍの軌道を公転すると、陽子のラブの引力は１０ａｍの光子を引き止める。それで陽子は１０ａｍの光子の回転体となる。陽子の大きさと公転軌道は等しい。それが陽子の大きさである。しかし、見かけ上は、２×１０ａｍとして観測される。陽子のラブの公転は環境によって異なる。高エネルギーの環境では陽子のラブの公転は小さい。地球の場合、陽子のラブの公転は１０−１５ｍであるので、陽子のラブの引力は１０−１５ｍの軌道の光子を引き止めている。このことによって、電子のラブの引力は５．４×１０−１９ｍの軌道の光子を引き止めている。それで、電子の大きさは５．４×１０−１９ｍである。しかし、見かけ上は、１．０８×１０−１８ｍである。電磁力はラブの自転と公転によってできる。
【図面の簡単な説明】
【図１】電子のラブの軌道。自転の軌道の大きさと公転の軌道の大きさとエネルギーと引力のマップ。
【図２】電子のラブの自転の軌道と公転の軌道と電子の軌道。
【図３】陽子のラブの自転の軌道と公転の軌道。ラブの公転の軌道は大きさに等しい。
【符号の説明】
１　電子のラブ　　　２　電子のラブの自転の軌道
３　電子のラブの公転の軌道　　　４　電子の大きさ
５　電子の軌道　　　６　陽子のラブ　　　７　陽子のラブの自転の軌道
８　陽子のラブの公転の軌道　　　９　陽子の大きさ
【図１】
2004032978.tif 000003
【図２】
2004032978.tif 000004
【図３】
2004032978.tif 000005